(57)【特許請求の範囲】
【請求項１】
画像表示装置であって、
コンテンツから表示用画像データーを生成する制御部と、
前記表示用画像データーを用いて画像を表示する画像表示部と、
を備え、
前記制御部は、
前記コンテンツが、三次元画像表示用の三次元コンテンツであるか、二次元画像表示用の二次元コンテンツであるかを識別する識別部と、
前記コンテンツが三次元コンテンツである場合は三次元用画像データーを、前記コンテンツが二次元コンテンツである場合は二次元用画像データーを、それぞれ前記表示用画像データーとして生成する画像処理部と、
前記画像処理部において、前記三次元用画像データーの生成がなされた前記コンテンツを識別する識別情報を記憶する履歴記憶部であって、前記識別情報に対応付けて、前記識別情報で特定される前記コンテンツについて、前記三次元用画像データーの生成がなされた時間を再生時間として記憶する履歴記憶部と、
を含み、
前記識別部は、
前記履歴記憶部に前記三次元用画像データーの生成がなされたとして記憶されている前記識別情報と同じ識別情報を持ち、かつ、前記再生時間が所定の時間以上である前記コンテンツを前記三次元コンテンツと、前記履歴記憶部に前記三次元用画像データーの生成がなされたとして記憶されている前記識別情報と異なる識別情報を持つ、もしくは、前記再生時間が所定の時間未満である前記コンテンツを前記二次元コンテンツと識別する、画像表示装置。
【請求項２】
請求項１記載の画像表示装置であって、
前記制御部は、さらに、
前記画像処理部において、三次元用画像データーの生成がなされた前記コンテンツの識別情報を前記履歴記憶部へ記憶させる履歴付与部を備える、画像表示装置。
【請求項３】
請求項１または２記載の画像表示装置であって、
前記識別部は、
前記コンテンツに含まれる画像データーを、上下もしくは左右に分割することで得られた第１の画像データーと第２の画像データーについて、１つの走査線内の複数個所の画素の輝度を記憶し、記憶した前記第１の画像データーと前記第２の画像データーとの輝度の並びを比較し、同じもしくは極めて類似したパターンが含まれる場合は前記コンテンツを前記三次元コンテンツと識別し、その他の場合は前記コンテンツを前記二次元コンテンツと識別する、画像表示装置。
【請求項４】
請求項１ないし３のいずれか一項記載の画像表示装置であって、
前記制御部は、さらに、
前記画像処理部において、三次元用画像データーの生成がなされた前記コンテンツに対して、当該コンテンツのヘッダーもしくは前記識別情報そのものを更新し、三次元コンテンツである旨を付与する履歴付与部を備え、
前記識別部は、
前記コンテンツの前記ヘッダーもしくは前記識別情報を参照し、三次元コンテンツである旨が含まれている場合は前記コンテンツを前記三次元コンテンツと識別し、その他の場合は前記コンテンツを前記二次元コンテンツと識別する、画像表示装置。
【請求項５】
請求項１ないし４のいずれか一項記載の画像表示装置であって、
前記識別部は、さらに、
前記コンテンツの識別結果の正誤を確認するための確認メッセージを、前記画像表示部に表示させる、画像表示装置。
【請求項６】
請求項１ないし５のいずれか一項記載の画像表示装置であって、
前記画像表示装置は、使用者に虚像を視認させる頭部装着型表示装置であり、
前記画像表示部は、
表示用画像データーを用いて画像を表す画像光を生成し射出させる一対の画像光生成部と、
射出された前記画像光を使用者の眼に導く一対の導光部と、
を含み、
前記画像処理部は、
前記コンテンツが三次元コンテンツである場合は、一方の前記画像光生成部と、他方の前記画像光生成部とでそれぞれ用いられる異なる表示用画像データーの組である三次元用画像データーを生成し、前記コンテンツが二次元コンテンツである場合は、一方の前記画像光生成部と、他方の前記画像光生成部とで用いられる同じ表示用画像データーの組である二次元用画像データーを生成する、画像表示装置。
【請求項７】
請求項１ないし６のいずれか一項記載の画像表示装置であって、
前記画像処理部は、
前記コンテンツが三次元コンテンツである場合に、所定の時間、前記二次元用画像データーを生成し、その後、前記三次元用画像データーを生成する、画像表示装置。
【請求項８】
画像表示方法であって、
（ａ）コンテンツから表示用画像データーを生成する工程と、
（ｂ）前記表示用画像データーを用いて画像を表示する工程と、
を備え、
前記工程（ａ）は、
（ａ１）前記コンテンツが、三次元画像表示の三次元コンテンツであるか、二次元画像表示の二次元コンテンツであるかを識別する工程と、
（ａ２）前記コンテンツが三次元コンテンツである場合は三次元用画像データーを、前記コンテンツが二次元コンテンツである場合は二次元用画像データーを、それぞれ前記表示用画像データーとして生成する工程と、
（ａ３）前記工程（ａ２）において、前記三次元用画像データーの生成がなされた前記コンテンツを識別する識別情報を記憶する工程であって、前記識別情報に対応付けて、前記識別情報で特定される前記コンテンツについて、前記三次元用画像データーの生成がなされた時間を再生時間として記憶する工程と、
を含み、
前記工程（ａ１）では、
前記三次元用画像データーの生成がなされたとして記憶されている前記識別情報と同じ識別情報を持ち、かつ、前記再生時間が所定の時間以上である前記コンテンツを前記三次元コンテンツと、前記三次元用画像データーの生成がなされたとして記憶されている前記識別情報と異なる識別情報を持つ、もしくは、前記再生時間が所定の時間未満である前記コンテンツを前記二次元コンテンツと識別する、画像表示方法。
【発明の詳細な説明】
【技術分野】
【０００１】
本発明は、画像表示装置および画像表示装置の制御方法に関する。
【背景技術】
【０００２】
二次元コンテンツを用いた平面的な画像表示と、三次元コンテンツを用いた立体的な画像表示との両方が可能な画像表示装置が知られている。このような画像表示装置においては、二次元コンテンツ用の画像表示処理と、三次元コンテンツ用の画像表示処理とが異なることから、利用者は画像表示の際に、コンテンツの種類（三次元／二次元）を指定する必要があり、手間がかかるという問題があった。
【０００３】
このような手間をなくすために、従来では、画像の左側半部と右側半部の、互いに同一の位置にある画素同士の類似度に基づいて、コンテンツの種類を識別する映像（画像）表示装置が知られている（例えば、特許文献１）。
【先行技術文献】
【特許文献】
【０００４】
【特許文献１】特開２０１０−６８３０９号公報
【特許文献２】特開平１１−２７５６０５号公報
【発明の概要】
【発明が解決しようとする課題】
【０００５】
従来の技術では、画面を左右半分ずつに分けて右半分を右目用の映像、左半分を左目用の映像を映す方式であるサイドバイサイド方式のコンテンツについて、コンテンツの種類を識別することが可能であった。ところが、三次元コンテンツには、フレーム・シーケンシャル方式や、トップアンドボトム方式、レンチキュラ方式など、多くの三次元映像方式を用いたコンテンツが存在する。従って、従来の技術では、サイドバイサイド方式以外の三次元映像方式を用いたコンテンツについては、コンテンツの種類を識別することができないという問題があった。
【０００６】
本発明は、三次元映像方式の如何に関わらず、コンテンツの種類を識別することが可能な画像表示装置を提供することを目的とする。
【課題を解決するための手段】
【０００７】
本発明は、上述の課題の少なくとも一部を解決するためになされたものであり、以下の形態又は適用例として実現可能である。画像表示装置であって、コンテンツから表示用画像データーを生成する制御部と、前記表示用画像データーを用いて画像を表示する画像表示部と、を備え、前記制御部は、前記コンテンツが、三次元画像表示用の三次元コンテンツであるか、二次元画像表示用の二次元コンテンツであるかを識別する識別部と、前記コンテンツが三次元コンテンツである場合は三次元用画像データーを、前記コンテンツが二次元コンテンツである場合は二次元用画像データーを、それぞれ前記表示用画像データーとして生成する画像処理部と、前記画像処理部において、前記三次元用画像データーの生成がなされた前記コンテンツを識別する識別情報を記憶する履歴記憶部であって、前記識別情報に対応付けて、前記識別情報で特定される前記コンテンツについて、前記三次元用画像データーの生成がなされた時間を再生時間として記憶する履歴記憶部と、を含み、前記識別部は、前記履歴記憶部に前記三次元用画像データーの生成がなされたとして記憶されている前記識別情報と同じ識別情報を持ち、かつ、前記再生時間が所定の時間以上である前記コンテンツを前記三次元コンテンツと、前記履歴記憶部に前記三次元用画像データーの生成がなされたとして記憶されている前記識別情報と異なる識別情報を持つ、もしくは、前記再生時間が所定の時間未満である前記コンテンツを前記二次元コンテンツと識別する、画像表示装置。そのほか、本発明は、以下の形態又は適用例として実現することが可能である。
【０００８】
［適用例１］
画像表示装置であって、
コンテンツから表示用画像データーを生成する制御部と、
前記表示用画像データーを用いて画像を表示する画像表示部と、
を備え、
前記制御部は、
前記コンテンツが、三次元画像表示用の三次元コンテンツであるか、二次元画像表示用の二次元コンテンツであるかを識別する識別部と、
前記コンテンツが三次元コンテンツである場合は三次元用画像データーを、前記コンテンツが二次元コンテンツである場合は二次元用画像データーを、それぞれ前記表示用画像データーとして生成する画像処理部と、
を含む、画像表示装置。
このような構成とすれば、識別部は、コンテンツが三次元コンテンツであるか二次元コンテンツであるかを識別し、画像処理部は、コンテンツが三次元コンテンツである場合は三次元用画像データーを、コンテンツが二次元コンテンツである場合は二次元用画像データーを、それぞれ生成する。このため、画像表示装置において、三次元映像方式の如何に関わらずコンテンツの種類を識別し、識別結果に応じた表示用画像データーを生成することが可能となる。
【０００９】
［適用例２］
適用例１記載の画像表示装置であって、
前記制御部は、さらに、
前記画像処理部において、三次元用画像データーの生成がなされた前記コンテンツを識別する識別情報を記憶する履歴記憶部を備え、
前記識別部は、
前記履歴記憶部に前記三次元用画像データーの生成がなされたとして記憶されている識別情報と同じ識別情報を持つ前記コンテンツを前記三次元コンテンツと、前記履歴記憶部に前記三次元用画像データーの生成がなされたとして記憶されている識別情報と異なる識別情報を持つ前記コンテンツを前記二次元コンテンツと識別する、画像表示装置。
このような構成とすれば、識別部は、履歴記憶部に三次元用画像データーの生成がなされたとして記憶されている識別情報と同じ識別情報を持つコンテンツを三次元コンテンツと、履歴記憶部に三次元用画像データーの生成がなされたとして記憶されている識別情報と異なる識別情報を持つコンテンツを二次元コンテンツと識別する。履歴記憶部は、画像処理部において過去に三次元用画像データーの生成がなされたコンテンツを識別する識別情報を記憶しているため、このようにすれば、識別部は、三次元映像方式の如何に関わらず、コンテンツの種類を識別することができる。また、識別部は、過去の履歴を用いてコンテンツの種類を識別するため、処理負荷を少なくすることができる。
【００１０】
［適用例３］
適用例２記載の画像表示装置であって、
前記制御部は、さらに、
前記画像処理部において、三次元用画像データーの生成がなされた前記コンテンツの識別情報を前記履歴記憶部へ記憶させる履歴付与部を備える、画像表示装置。
このような構成とすれば、履歴付与部は、画像処理部において三次元用画像データーの生成がなされたコンテンツを識別する識別情報を履歴記憶部へ記憶させるため、画像処理部における過去の処理の履歴を記憶しておくことができる。
【００１１】
［適用例４］
適用例２または３記載の画像表示装置であって、
前記履歴記憶部は、さらに、
前記識別情報に対応付けて、前記識別情報で特定される前記コンテンツについて、前記三次元用画像データーの生成がなされた時間を再生時間として記憶し、
前記識別部は、
前記履歴記憶部に前記三次元用画像データーの生成がなされたとして記憶されている識別情報と同じ識別情報を持ち、かつ、前記再生時間が所定の時間以上である前記コンテンツを前記三次元コンテンツと、前記履歴記憶部に前記三次元用画像データーの生成がなされたとして記憶されている識別情報と異なる識別情報を持つ、もしくは、前記再生時間が所定の時間未満である前記コンテンツを前記二次元コンテンツと識別する、画像表示装置。
このような構成とすれば、スイッチの誤操作等により、使用者の意図に反して三次元用画像データーの生成がなされたコンテンツが、三次元コンテンツであると識別されることを抑制することができる。
【００１２】
［適用例５］
適用例１ないし４のいずれか一項記載の画像表示装置であって、
前記識別部は、
前記コンテンツに含まれる画像データーを、上下もしくは左右に分割することで得られた第１の画像データーと第２の画像データーについて、１つの走査線内の複数個所の画素の輝度を記憶し、記憶した前記第１の画像データーと前記第２の画像データーとの輝度の並びを比較し、同じもしくは極めて類似したパターンが含まれる場合は前記コンテンツを前記三次元コンテンツと識別し、その他の場合は前記コンテンツを前記二次元コンテンツと識別する、画像表示装置。
このような構成とすれば、識別部は、コンテンツに含まれる画像データーを分割することで得られた第１の画像データーと第２の画像データーの輝度の並びを比較し、同じもしくは極めて類似したパターンが含まれるコンテンツの場合は当該コンテンツを三次元コンテンツと、その他の場合は当該コンテンツを二次元コンテンツと識別する。このため、識別部は、サイドバイサイド方式の三次元コンテンツと、トップアンドボトム方式の三次元コンテンツとについて、コンテンツの種類を識別することができる。
【００１３】
［適用例６］
適用例１ないし５のいずれか一項記載の画像表示装置であって、
前記制御部は、さらに、
前記画像処理部において、三次元用画像データーの生成がなされた前記コンテンツに対して、当該コンテンツのヘッダーもしくは前記識別情報そのものを更新し、三次元コンテンツである旨を付与する履歴付与部を備え、
前記識別部は、
前記コンテンツの前記ヘッダーもしくは前記識別情報を参照し、三次元コンテンツである旨が含まれている場合は前記コンテンツを前記三次元コンテンツと識別し、その他の場合は前記コンテンツを前記二次元コンテンツと識別する、画像表示装置。
このような構成とすれば、識別部は、コンテンツのヘッダーもしくは識別情報そのものを参照し、三次元コンテンツである旨が含まれている場合は当該コンテンツを三次元コンテンツと、その他の場合は当該コンテンツを二次元コンテンツと識別する。コンテンツのヘッダーもしくは識別情報には、画像処理部において過去に三次元用画像データーの生成がなされたコンテンツについて、三次元コンテンツである旨が付与されているため、このようにすれば、識別部は、三次元映像方式の如何に関わらず、コンテンツの種類を識別することができる。また、識別部は、コンテンツのヘッダーもしくは識別情報に付与された情報を用いてコンテンツの種類を識別するため、処理負荷を少なくすることができる。
【００１４】
［適用例７］
適用例１ないし６のいずれか一項記載の画像表示装置であって、
前記識別部は、さらに、
前記コンテンツの識別結果の正誤を確認するための確認メッセージを、前記画像表示部に表示させる、画像表示装置。
このような構成とすれば、識別部は、コンテンツの識別結果の正誤を確認するためのメッセージを画像表示部に表示させるため、画像表示装置の使用者に確認を求めることができる。
【００１５】
［適用例８］
適用例１ないし７のいずれか一項記載の画像表示装置であって、
前記画像表示装置は、使用者に虚像を視認させる頭部装着型表示装置であり、
前記画像表示部は、
表示用画像データーを用いて画像を表す画像光を生成し射出させる一対の画像光生成部と、
射出された前記画像光を使用者の眼に導く一対の導光部と、
を含み、
前記画像処理部は、
前記コンテンツが三次元コンテンツである場合は、一方の前記画像光生成部と、他方の前記画像光生成部とで用いられる異なる表示用画像データーの組である三次元用画像データーを生成し、前記コンテンツが二次元コンテンツである場合は、一方の前記画像光生成部と、他方の前記画像光生成部とでそれぞれ用いられる同じ表示用画像データーの組である二次元用画像データーを生成する、画像表示装置。
このような構成とすれば、画像処理部は、コンテンツが三次元コンテンツである場合は一方の画像光生成部と、他方の画像光生成部とでそれぞれ用いられる異なる表示用画像データーの組である三次元用画像データーを生成し、コンテンツが二次元コンテンツである場合は一方の画像光生成部と、他方の画像光生成部とで用いられる同じ表示用画像データーの組である二次元用画像データーを生成する。このため、頭部装着型表示装置において、識別部による識別結果に応じた表示用画像データーを生成することが可能となる。
【００１６】
［適用例９］
適用例１ないし８のいずれか一項記載の画像表示装置であって、
前記画像処理部は、
前記コンテンツが三次元コンテンツである場合に、所定の時間、前記二次元用画像データーを生成し、その後、前記三次元用画像データーを生成する、画像表示装置。
このような構成とすれば、画像処理部は、コンテンツが三次元コンテンツである場合に、所定の時間二次元用画像データーを生成し、その後三次元用画像データーを生成する。すなわち画像処理部は、三次元用画像データー生成までの間に故意にタイムラグを設ける。この結果、画像表示装置は画像表示装置の使用者に対して、視認中の画像が三次元画像であることを気づきやすくすることができる。
【００１７】
なお、本発明は、種々の態様で実現することが可能であり、例えば、画像表示装置および画像表示装置の制御方法、画像表示システム、これらの方法、装置またはシステムの機能を実現するためのコンピュータープログラム、そのコンピュータープログラムを記録した記録媒体等の形態で実現することができる。
【図面の簡単な説明】
【００１８】
【図１】本発明の一実施例における画像表示装置の外観の構成を示す説明図である。
【図２】ヘッドマウントディスプレイＨＭの構成を機能的に示すブロック図である。
【図３】画像処理部による表示用画像データー生成処理の概要を示す説明図である。
【図４】画像光生成部によって画像光が射出される様子を示す説明図である。
【図５】使用者に認識される虚像の一例を示す説明図である。
【図６】履歴記憶部の一例を示す説明図である。
【図７】再生開始処理の手順を示すフローチャートである。
【図８】再生終了処理の手順を示すフローチャートである。
【図９】第２実施例における再生開始処理の手順を示すフローチャートである。
【図１０】ステップＳ３０４の判定方法について説明するための概略図である。
【図１１】第３実施例における再生開始処理の手順を示すフローチャートである。
【図１２】第３実施例における再生終了処理の手順を示すフローチャートである。
【発明を実施するための形態】
【００１９】
次に、本発明の実施の形態を実施例に基づいて説明する。
【００２０】
Ａ．第１実施例：
（Ａ−１）画像表示装置の構成：
図１は、本発明の一実施例における画像表示装置の外観の構成を示す説明図である。画像表示装置ＨＭは、頭部に装着する頭部装着型表示装置であり、ヘッドマウントディスプレイ（Head Mounted Display、ＨＭＤ）とも呼ばれる。本実施例のヘッドマウントディスプレイＨＭは、使用者が、虚像を視認すると同時に外景も直接視認可能な光学透過型の画像表示装置である。
【００２１】
ヘッドマウントディスプレイＨＭは、使用者の頭部に装着された状態において使用者に虚像を視認させる画像表示部２０と、画像表示部２０を制御する制御部（コントローラー）１０とを備えている。
【００２２】
画像表示部２０は、使用者の頭部に装着される装着体であり、本実施例では眼鏡形状を有している。画像表示部２０は、右保持部２１と、右表示駆動部２２と、左保持部２３と、左表示駆動部２４と、右光学像表示部２６と、左光学像表示部２８とを含んでいる。右光学像表示部２６および左光学像表示部２８は、ヘッドマウントディスプレイＨＭの装着時における使用者の右および左の眼前に対応する位置に配置されている。右光学像表示部２６の一端と、左光学像表示部２８の一端は、それぞれ、ヘッドマウントディスプレイＨＭの装着時における使用者の眉間に対応する位置で接続されている。右光学像表示部２６の他端である端部ＥＲからは、右保持部２１が延伸している。同様に、左光学像表示部２８の他端である端部ＥＬからは、左保持部２３が延伸している。
【００２３】
右保持部２１は、右光学像表示部２６の端部ＥＲから、ヘッドマウントディスプレイＨＭの装着時における使用者の側頭部に対応する位置にかけて、右光学像表示部２６とほぼ直角をなすように延伸して設けられた部材である。同様に、左保持部２３は、左光学像表示部２８の端部ＥＬから、ヘッドマウントディスプレイＨＭの装着時における使用者の側頭部に対応する位置にかけて、左光学像表示部２８とほぼ直角をなすように延伸して設けられた部材である。右保持部２１と、左保持部２３は、眼鏡のテンプル（つる）のようにして、使用者の頭部にヘッドマウントディスプレイＨＭを保持する。
【００２４】
右表示駆動部２２は、右保持部２１の内側（換言すれば、ヘッドマウントディスプレイＨＭの装着時における使用者の頭部に対向する側）であって、右光学像表示部２６の端部ＥＲ側に配置されている。また、左表示駆動部２４は、左保持部２３の内側であって、左光学像表示部２８の端部ＥＬ側に配置されている。なお、以降では、右保持部２１および左保持部２３を総称して単に「保持部」と、右表示駆動部２２および左表示駆動部２４を総称して単に「表示駆動部」と、右光学像表示部２６および左光学像表示部２８を総称して単に「光学像表示部」とも呼ぶ。
【００２５】
表示駆動部は、図示しないＬＣＤ（Liquid Crystal Display：液晶ディスプレイ）や、投写光学系等を含む。詳細は後述する。光学部材としての光学像表示部は、図示しない導光板と、調光板とを含んでいる。導光板は、光透過性の樹脂材料等によって形成され、表示駆動部から取り込んだ画像光を使用者の眼に向けて射出させる。調光板は、薄板状の光学素子であり、ヘッドマウントディスプレイＨＭの表側（使用者の眼の側とは反対の側）を覆うように配置されている。調光板は、導光板を保護し、導光板の損傷や、汚れの付着等を抑制するとともに、調光板の光透過率を調整することにより、使用者の眼に入る外光量を調整し、虚像の視認のしやすさを調整することができる。なお、調光板は省略可能である。
【００２６】
画像表示部２０は、さらに、画像表示部２０を制御部１０に接続するための接続部４０を有している。接続部４０は、制御部１０に接続される本体コード４８と、本体コード４８が２本に分岐した右コード４２と、左コード４４と、分岐点に設けられた連結部材４６と、を含んでいる。右コード４２は、右保持部２１の延伸方向の先端部ＡＰから右保持部２１の筐体内に挿入され、右表示駆動部２２に接続されている。同様に、左コード４４は、左保持部２３の延伸方向の先端部ＡＰから左保持部２３の筐体内に挿入され、左表示駆動部２４に接続されている。
【００２７】
画像表示部２０と制御部１０とは、接続部４０を介して各種信号の伝送を行う。本体コード４８における連結部材４６とは反対側の端部と、制御部１０とのそれぞれには、互いに嵌合するコネクター（図示省略）が設けられており、本体コード４８のコネクターと制御部１０のコネクターとの嵌合／嵌合解除により、制御部１０と画像表示部２０とが接続されたり切り離されたりする。右コード４２と、左コード４４と、本体コード４８には、例えば、金属ケーブルや、光ファイバーを採用することができる。
【００２８】
制御部１０は、ヘッドマウントディスプレイＨＭを操作するための装置である。制御部１０は、点灯部１２と、タッチパッド１４と、十字キー１６と、電源スイッチ１８と、表示モード切替スイッチ１９とを含んでいる。点灯部１２は、ヘッドマウントディスプレイＨＭの動作状態（例えば、電源のＯＮ／ＯＦＦ等）を、その発光状態によって通知する。点灯部１２としては、例えば、ＬＥＤ（Light Emitting Diode）を用いることができる。タッチパッド１４は、タッチパッド１４の操作面上での使用者の指の操作を検出して、検出内容に応じた信号を出力する。十字キー１６は、上下左右方向に対応するキーへの押下操作を検出して、検出内容に応じた信号を出力する。電源スイッチ１８は、スイッチのスライド操作を検出することで、ヘッドマウントディスプレイＨＭの電源投入状態を切り替える。表示モード切替スイッチ１９は、二次元コンテンツを表示するための二次元表示モード（詳細は後述）と、三次元コンテンツを表示するための三次元表示モード（詳細は後述）とを、手動で切り替える。
【００２９】
本実施例においてコンテンツとは、画像（静止画像、動画像）や音声等からなる情報内容を意味する。コンテンツには、平面的な画像表示を可能とする二次元コンテンツと、立体的な画像表示を可能とする三次元コンテンツとが含まれる。また、三次元コンテンツには、様々な三次元映像方式を用いたコンテンツが存在する。三次元映像方式には、例えば、左右の目で見る映像を1コマごとに振り分けるフレーム・シーケンシャル式、画面の横方向の走査線を上から右目用の映像、左目用の映像と一本ずつ交互に分けて映すトップアンドボトム方式、画面を左右半分に分けて右半分を右目用の映像、左半分を左目用の映像を映すサイドバイサイド方式、画面の表面にレンチキュラ・スクリーンと呼ばれる透明板を貼るレンチキュラ方式、画面に赤色と青色２色の重なった映像を写して赤と青のフィルター付き眼鏡を用いるアナグリフ方式等がある。
【００３０】
図２は、ヘッドマウントディスプレイＨＭの構成を機能的に示すブロック図である。制御部１０は、入力情報取得部１１０と、記憶部１２０と、電源１３０と、ＣＰＵ１４０と、インターフェイス１８０と、送信部（Ｔｘ）５１および５２と、を備え、各部は図示しないバスにより相互に接続されている。
【００３１】
入力情報取得部１１０は、例えば、タッチパッド１４や十字キー１６、電源スイッチ１８に対する操作入力等の使用者による操作入力に応じた信号を取得する機能を有する。記憶部１２０は、図示しないＲＯＭ、ＲＡＭ、ＤＲＡＭ、ハードディスク等を含む記憶部である。また、記憶部１２０には、履歴記憶部１２２が含まれている。詳細は後述する。電源１３０は、ヘッドマウントディスプレイＨＭの各部に電力を供給する。電源１３０としては、例えば二次電池を用いることができる。
【００３２】
ＣＰＵ１４０は、予めインストールされたプログラムを実行することで、オペレーティングシステム（ОＳ）１５０としての機能を提供する。また、ＣＰＵ１４０は、ＲＯＭやハードディスクに格納されているファームウェアやコンピュータープログラムをＲＡＭに展開して実行することにより、識別部１４２、履歴付与部１４４、画像処理部１６０、音声処理部１７０、表示制御部１９０としても機能する。
【００３３】
識別部１４２は、ＯＳ１５０からのコンテンツ再生開始要求をトリガーとして、再生開始処理（詳細は後述）を実行する。識別部１４２は、再生開始処理において、コンテンツの種類を識別し、識別したコンテンツの種類に応じて、二次元表示モードの表示用画像データー生成処理もしくは三次元表示モードの表示用画像データー生成処理を画像処理部１６０へ要求する。なお、本実施例において「コンテンツの種類」には、二次元コンテンツと三次元コンテンツとが含まれる。
【００３４】
履歴付与部１４４は、ＯＳ１５０からのコンテンツ再生終了要求またはコンテンツファイルの終端（ＥＯＦ、End Of File）をトリガーとして、再生終了要処理（詳細は後述）を実行する。
【００３５】
図３は、画像処理部１６０による表示用画像データー生成処理の概要を示す説明図である。まず、二次元表示モードの表示用画像データー生成処理および三次元表示モードの表示用画像データー生成処理に共通の処理として、画像処理部１６０は、インターフェイス１８０を介して入力されるコンテンツに含まれる画像信号を取得する。取得した画像信号は、例えば動画像の場合、一般的に、１秒あたり３０枚のフレーム画像から構成されているアナログ信号である。画像処理部１６０は、取得した画像信号から、垂直同期信号ＶＳｙｎｃや水平同期信号ＨＳｙｎｃ等の同期信号を分離する。また、画像処理部１６０は、分離した垂直同期信号ＶＳｙｎｃや水平同期信号ＨＳｙｎｃの周期に応じて、図示しないＰＬＬ（Phase Locked Loop）回路等を利用してクロック信号ＰＣＬＫを生成する。
【００３６】
画像処理部１６０は、同期信号が分離されたアナログ画像信号を、図示しないＡ／Ｄ変換回路等を用いてディジタル画像信号に変換する。その後、画像処理部１６０は、変換後のディジタル画像信号を、対象画像の画像データー（ＲＧＢデーター）として、１フレームごとに記憶部１２０内のＤＲＡＭに格納する。なお、画像処理部１６０は、必要に応じて、画像データーに対して、解像度変換処理、輝度や彩度の調整といった種々の色調補正処理、キーストーン補正処理等の画像処理を実行してもよい。
【００３７】
図３（Ａ）は、二次元表示モードの表示用画像データー生成処理の概要を示している。二次元表示モードの場合、画像処理部１６０は、生成したクロック信号ＰＣＬＫ、垂直同期信号ＶＳｙｎｃ、水平同期信号ＨＳｙｎｃと、記憶部１２０内のＤＲＡＭに格納された画像データーとを、送信部５１および５２を介して画像表示部２０へそれぞれ送信する。二次元表示モードの場合、送信部５１を介して送信される画像データー（以降、「右眼用画像データーＤａｔａ１」とも呼ぶ。）と、送信部５２を介して送信される画像データー（以降、「左眼用画像データーＤａｔａ２」とも呼ぶ。）とは、同じ表示用画像データーである。
【００３８】
なお、二次元表示モードの場合に生成される右眼用画像データーＤａｔａ１と、左眼用画像データーＤａｔａ２との組を「二次元用画像データー」とも呼ぶ。また、図３（Ａ）の例では、ＬＣＤ画面上に明るさ、コントラスト、音量等を表示するためのＯＳＤ（On Screen Display）表示がされた画像データーを示している。画像処理部１６０は、二次元表示モードの表示用画像データー生成処理においては、非圧縮サイズの二次元表示モード用ＯＳＤを用いる。
【００３９】
図３（Ｂ）は、三次元表示モードの表示用画像データー生成処理の概要を示している。以下では、三次元映像方式としてサイドバイサイド方式が採用された場合の処理の例を示す。三次元表示モードの場合、画像処理部１６０は、まず、記憶部１２０内のＤＲＡＭに格納された画像データーを、左右に分割する。そして、画像処理部１６０は、分割された画像データーの右側部分を横方向に２倍に拡大し、右眼用画像データーＤａｔａ１を生成する。同様に、画像処理部１６０は、分割された画像データーの左側部分を横方向に２倍に拡大し、左眼用画像データーＤａｔａ２を生成する。三次元表示モードの場合、右眼用画像データーＤａｔａ１と、左眼用画像データーＤａｔａ２とは、異なる表示用画像データーである。
【００４０】
画像処理部１６０は、生成したクロック信号ＰＣＬＫ、垂直同期信号ＶＳｙｎｃ、水平同期信号ＨＳｙｎｃと、右眼用画像データーＤａｔａ１とを、送信部５１を介して画像表示部２０へ送信する。同様に、画像処理部１６０は、生成したクロック信号ＰＣＬＫ、垂直同期信号ＶＳｙｎｃ、水平同期信号ＨＳｙｎｃと、左眼用画像データーＤａｔａ２とを、送信部５２を介して画像表示部２０へ送信する。
【００４１】
なお、三次元表示モードの場合に生成される右眼用画像データーＤａｔａ１と、左眼用画像データーＤａｔａ２との組を「三次元用画像データー」とも呼ぶ。また、上記では、三次元映像方式としてサイドバイサイド方式が採用された場合の処理の例を示した。しかし、画像処理部１６０は、サイドバイサイド方式に限らず、種々の三次元映像方式に対応した処理を行うことができる。また、図３（Ｂ）では、図３（Ａ）と同様に、ＯＳＤ表示がされた画像データーを示している。画像処理部１６０は、三次元表示モードの表示用画像データー生成処理においては、１／２幅に圧縮されたサイズの三次元表示モード用ＯＳＤを用いる。そうすれば、上記表示用画像データー生成処理において右眼用画像データーＤａｔａ１および左眼用画像データーＤａｔａ２が横方向に２倍に拡大された際でも、適正なＯＳＤ表示を行うことが可能となる。
【００４２】
なお、二次元表示モードの表示用画像データー生成処理および三次元表示モードの表示用画像データー生成処理の両処理において、送信部５１、５２は、制御部１０と、画像表示部２０との間におけるシリアル伝送のためのトランシーバーとして機能する。
【００４３】
図２の表示制御部１９０は、右表示駆動部２２および左表示駆動部２４を制御する制御信号を生成する。具体的には、表示制御部１９０は、制御信号により、右ＬＣＤ制御部２１１による右ＬＣＤ２４１の駆動ＯＮ／ＯＦＦや、右バックライト制御部２０１による右バックライト２２１の駆動ＯＮ／ＯＦＦ、左ＬＣＤ制御部２１２による左ＬＣＤ２４２の駆動ＯＮ／ＯＦＦや、左バックライト制御部２０２による左バックライト２２２の駆動ＯＮ／ＯＦＦ、などを個別に制御することにより、右表示駆動部２２および左表示駆動部２４のそれぞれによる画像光の生成および射出を制御する。例えば、表示制御部１９０は、右表示駆動部２２および左表示駆動部２４の両方に画像光を生成させたり、一方のみに画像光を生成させたり、両方共に画像光を生成させなかったりする。
【００４４】
表示制御部１９０は、右ＬＣＤ制御部２１１と左ＬＣＤ制御部２１２とに対する制御信号を、送信部５１および５２を介してそれぞれ送信する。また、表示制御部１９０は、右バックライト制御部２０１と左バックライト制御部２０２とに対する制御信号を、それぞれ送信する。
【００４５】
音声処理部１７０は、コンテンツに含まれる音声信号を取得し、取得した音声信号を増幅して、画像表示部２０の右イヤホン３２内の図示しないスピーカーおよび左イヤホン３４内の図示しないスピーカーに対し、接続部４０を介して供給する。なお、例えば、Ｄｏｌｂｙ（登録商標）システムを採用した場合、音声信号に対する処理がなされ、右イヤホン３２および左イヤホン３４からは、それぞれ、例えば周波数等が変えられた異なる音が出力される。
【００４６】
インターフェイス１８０は、制御部１０に対して、コンテンツの供給元となる種々の外部機器ＯＡを接続するためのインターフェイスである。外部機器ОＡとしては、例えば、パーソナルコンピューターＰＣや携帯電話端末、ゲーム端末等がある。インターフェイス１８０としては、例えば、ＵＳＢインターフェイスや、マイクロＵＳＢインターフェイス、メモリーカード用インターフェイス、無線ＬＡＮインターフェイス等を備えることができる。
【００４７】
画像表示部２０は、右表示駆動部２２と、左表示駆動部２４と、右光学像表示部２６としての右導光板２６１と、左光学像表示部２８としての左導光板２６２と、右イヤホン３２と、左イヤホン３４とを備えている。
【００４８】
右表示駆動部２２は、受信部（Ｒｘ）５３と、光源として機能する右バックライト（ＢＬ）制御部２０１および右バックライト（ＢＬ）２２１と、表示素子として機能する右ＬＣＤ制御部２１１および右ＬＣＤ２４１と、右投写光学系２５１を含んでいる。なお、右バックライト制御部２０１と、右ＬＣＤ制御部２１１と、右バックライト２２１と、右ＬＣＤ２４１とを総称して「画像光生成部」とも呼ぶ。
【００４９】
受信部５３は、制御部１０と、画像表示部２０との間におけるシリアル伝送のためのレシーバーとして機能する。右バックライト制御部２０１は、入力された制御信号に基づいて、右バックライト２２１を駆動する機能を有する。右バックライト２２１は、例えば、ＬＥＤやエレクトロルミネセンス（ＥＬ）等の発光体である。右ＬＣＤ制御部２１１は、受信部５３を介して入力されたクロック信号ＰＣＬＫと、垂直同期信号ＶＳｙｎｃと、水平同期信号ＨＳｙｎｃと、右眼用画像データーＤａｔａ１とに基づいて、右ＬＣＤ２４１を駆動する機能を有する。右ＬＣＤ２４１は、複数の画素をマトリクス状に配置した透過型液晶パネルである。
【００５０】
図４は、画像光生成部によって画像光が射出される様子を示す説明図である。右ＬＣＤ２４１はマトリクス状に配置された各画素位置に対応する液晶を駆動することによって、右ＬＣＤ２４１を透過する光の透過率を変化させることにより、右バックライト２２１から照射される照明光ＩＬを、画像を表す有効な画像光ＰＬへと変調する機能を有する。なお、図４のように、本実施例ではバックライト方式を採用することとしたが、フロントライト方式や、反射方式を用いて画像光を射出する構成としてもよい。
【００５１】
図２の右投写光学系２５１は、右ＬＣＤ２４１から射出された画像光を並行状態の光束にするコリメートレンズによって構成される。右光学像表示部２６としての右導光板２６１は、右投写光学系２５１から出力された画像光を、所定の光路に沿って反射させつつ使用者の右眼ＲＥに導く。なお、右投写光学系２５１と右導光板２６１とを総称して「導光部」とも呼ぶ。
【００５２】
左表示駆動部２４は、受信部（Ｒｘ）５４と、光源として機能する左バックライト（ＢＬ）制御部２０２および左バックライト（ＢＬ）２２２と、表示素子として機能する左ＬＣＤ制御部２１２および左ＬＣＤ２４２と、左投写光学系２５２を含んでいる。なお、左バックライト制御部２０２と、左ＬＣＤ制御部２１２と、左バックライト２２２と、左ＬＣＤ２４２とを総称して「画像光生成部」と、左投写光学系２５２と、左導光板２６２とを総称して「導光部」とも呼ぶ。右表示駆動部２２と左表示駆動部２４とは対になっており、左表示駆動部２４の各部は、右表示駆動部２２で説明する各部と同様の構成および動作を有するため詳細な説明は省略する。
【００５３】
図５は、使用者に認識される虚像の一例を示す説明図である。上述のようにして、ヘッドマウントディスプレイＨＭの使用者の両眼に導かれた画像光が使用者の網膜に結像することにより、使用者は虚像を視認することができる。図５に示すように、ヘッドマウントディスプレイＨＭの使用者の視野ＶＲ内には虚像ＶＩが表示される。また、使用者の視野ＶＲのうち、虚像ＶＩが表示された部分以外については、使用者は、右光学像表示部２６および左光学像表示部２８を透過して、外景ＳＣを見ることができる。なお、本実施例のヘッドマウントディスプレイＨＭでは、使用者の視野ＶＲの内の虚像ＶＩが表示された部分についても、虚像ＶＩの背後に外景ＳＣが透けて見えるようになっている。
【００５４】
（Ａ−２）履歴記憶部の構成：
図６は、履歴記憶部１２２の一例を示す説明図である。本実施例における履歴記憶部１２２は、画像処理部１６０において、過去に三次元表示モードで三次元用画像データーの生成がなされたコンテンツを識別する識別情報を記憶するための記憶部である。履歴記憶部は、後述の再生終了処理において更新されるほか、ヘッドマウントディスプレイＨＭの使用者が、表示モード切替スイッチ１９を手動で操作した結果として、画像処理部１６０において表示用画像データー生成処理が実行された場合にも更新される。また、ヘッドマウントディスプレイＨＭがステレオカメラを備える構成では、ステレオカメラで撮像・保存された画像について更新されてもよい。履歴記憶部１２２は、識別子と、表示モードと、再生日時と、再生時間と、合計再生回数とを含んでいる。
【００５５】
識別子フィールドには、コンテンツを識別するための識別情報が格納される。識別情報としては、例えば、ファイル名や、フォルダー名、ファイルパス等を採用することができる。表示モードフィールドには、識別情報で特定されるコンテンツについて、過去に画像処理部１６０で表示用画像データー生成処理が実行された表示モード（二次元表示モード／三次元表示モード）が格納される。再生日時フィールドには、識別情報で特定されるコンテンツについての、最新の再生日時が格納される。再生時間フィールドは、識別情報で特定されるコンテンツについての、最新の再生時間が格納される。合計再生回数フィールドには、識別情報で特定されるコンテンツが再生された総合計回数が格納される。
【００５６】
例えば、図６のエントリーＥ０１の例では、ファイル名「ＸＸＸＸＸＸＸ．ａｖｉ」というコンテンツが、三次元表示モードで、２０１１年１０月１０日の１２時２３分に、２分０３秒間再生されたことと、現在までに合計３回再生されていることを示している。
【００５７】
（Ａ−３）再生開始処理：
図７は、再生開始処理の手順を示すフローチャートである。再生開始処理は、識別部１４２により実行される処理であり、コンテンツの種類を識別し、コンテンツの種類の識別結果に応じた表示モードで画像処理部１６０に表示用画像データー生成処理を実行させるための処理である。識別部１４２は、ＯＳ１５０からコンテンツ再生要求を受けたコンテンツ（以降、「識別対象コンテンツ」とも呼ぶ。）の識別情報を取得する（ステップＳ１００）。識別部１４２は、取得した識別情報をキーとして履歴記憶部１２２の識別子フィールドを検索する（ステップＳ１０２）。
【００５８】
識別部１４２は、ステップＳ１０２の検索結果を用いて、識別対象コンテンツが三次元コンテンツか否かを識別する（ステップＳ１０４）。具体的には、識別部１４２は、ステップＳ１０２の検索の結果、履歴記憶部１２２に一致するエントリーがあり、かつ、当該エントリーの表示モードフィールドに「三次元表示モード」と格納されている場合、識別対象コンテンツは三次元コンテンツであると識別する（ステップＳ１０４：ＹＥＳ）。一方、識別部１４２は、ステップＳ１０２の検索の結果、履歴記憶部１２２に一致するエントリーがない、または、一致するエントリーがあっても当該エントリーの表示モードフィールドに「二次元表示モード」と格納されている場合、識別対象コンテンツは二次元コンテンツであると識別する（ステップＳ１０４：ＮＯ）。
【００５９】
なお、ステップＳ１０４では、上記に加えて、履歴記憶部１２２の再生時間フィールドや、合計再生回数フィールドに格納されている値を用いて、識別対象コンテンツが三次元コンテンツか否かを識別してもよい。
【００６０】
例えば、識別部１４２は、ステップＳ１０２の検索の結果、履歴記憶部１２２に一致するエントリーがあり、かつ、当該エントリーの表示モードフィールドに「三次元表示モード」と格納されており、かつ、当該エントリーの再生時間フィールドに所定時間（例えば１分）以上の再生時間が格納されている場合に限って、識別対象コンテンツは三次元コンテンツであると識別することができる。この場合、識別部１４２は、履歴記憶部１２２に一致するエントリーがあり、かつ、当該エントリーの表示モードフィールドに「三次元表示モード」と格納されている場合であっても、当該エントリーの再生時間フィールドの再生時間が所定時間未満である場合には、識別対象コンテンツは二次元コンテンツであると識別する。なお、所定時間とは任意に定めることができる。このように、コンテンツの種類の識別において、再生時間フィールドの値を考慮すれば、例えば、表示モード切替スイッチ１９が誤って押下される等により、使用者の意図に反して三次元表示モードで三次元用画像データーの生成がなされたコンテンツが、三次元コンテンツであると識別されることを抑制することができる。
【００６１】
また、例えば、識別部１４２は、ステップＳ１０２の検索の結果、履歴記憶部１２２に一致するエントリーがあり、かつ、当該エントリーの表示モードフィールドに「三次元表示モード」と格納されており、かつ、当該エントリーの合計再生回数フィールドに所定回数（例えば２回）以上の再生回数が格納されている場合に、識別対象コンテンツは三次元コンテンツであると識別することができる。なお、所定回数とは任意に定めることができる。このように、合計再生回数フィールドの値を考慮すれば、識別結果の信頼性をより向上させることができる。
【００６２】
ステップＳ１０４において、識別対象コンテンツが二次元コンテンツであると識別された場合（ステップＳ１０４：ＮＯ）、識別部１４２は、画像処理部１６０に対して、二次元表示モードの表示用画像データー生成処理（図２）を要求し（ステップＳ１０６）、その後、処理を終了させる。
【００６３】
ステップＳ１０４において、識別対象コンテンツが三次元コンテンツであると識別された場合（ステップＳ１０４：ＹＥＳ）、識別部１４２は、画像処理部１６０に対して、コンテンツの種類の識別結果の正誤を確認するための確認メッセージを表示するよう要求する（ステップＳ１０８）。要求を受信した画像処理部１６０は、予め記憶部１２０内に記憶されている確認メッセージを画像表示部２０へ送信する。確認メッセージは、例えば、「これは３Ｄコンテンツですか？」等の文章が表示されたＹＥＳ／ＮＯダイアログボックスを採用することができる。
【００６４】
ステップＳ１０８において、コンテンツの種類が二次元コンテンツである旨が確認された場合（ステップＳ１１０：ＮＯ）、識別部１４２は、画像処理部１６０に対して、二次元表示モードの表示用画像データー生成処理（図２）を要求する（ステップＳ１０６）。一方、ステップＳ１０８において、コンテンツの種類が三次元コンテンツである旨が確認された場合（ステップＳ１１０：ＹＥＳ）、識別部１４２は、画像処理部１６０に対して、三次元表示モードの表示用画像データー生成処理（図２）を要求し（ステップＳ１１２）、その後、処理を終了させる。このようにすれば、識別部１４２は、ヘッドマウントディスプレイＨＭの使用者に対して、コンテンツの種類の識別結果の正誤の確認を求めることができる。
【００６５】
なお、ステップＳ１０８において、コンテンツの種類が三次元コンテンツである旨が確認された場合（ステップＳ１１０：ＹＥＳ）、識別部１４２は、画像処理部１６０に対して、所定の時間、二次元表示モードの表示用画像データー生成処理（図２）を要求した後、三次元表示モードの表示用画像データー生成処理（図２）を要求してもよい。なお、所定の時間とは任意に定めることができるが、使用者に「三次元モードに切り替わった」ことを視認させる程度の短時間とすることが好ましい。このようにすれば、画像処理部１６０は、三次元用画像データー生成までの間に故意にタイムラグを設けるため、ヘッドマウントディスプレイＨＭの使用者に対して、視認中の画像が三次元画像であることを気づきやすくすることができる。
【００６６】
（Ａ−４）再生終了処理：
図８は、再生終了処理の手順を示すフローチャートである。再生終了処理は、履歴付与部１４４により実行される処理であり、画像処理部１６０において、三次元表示モードで三次元用画像データーの生成がなされたコンテンツの識別情報を履歴記憶部１２２へ記憶させるための処理である。
【００６７】
履歴付与部１４４は、ＯＳ１５０からコンテンツ再生終了要求を受けたコンテンツ、もしくは、ファイルの終端を検出したコンテンツの情報を用いて、履歴記憶部１２２を更新する（ステップＳ２００）。具体的には、履歴付与部１４４は、当該コンテンツの識別情報をキーとして履歴記憶部１２２の識別子フィールドを検索する。一致するエントリーがあれば、履歴付与部１４４は、当該エントリーの表示モードフィールドを、画像処理部１６０で実行された表示モードを示す内容に更新する。同様に履歴付与部１４４は、再生日時、再生時間の各フィールドを、画像処理部１６０における処理日時、処理時間を用いて更新する。さらに、履歴付与部１４４は、合計再生回数フィールドをインクリメントする。一方、一致するエントリーがなければ、履歴付与部１４４は、新たなエントリーに、識別子、表示モード、再生日時、再生時間、合計再生回数の各フィールドを記憶させる。
【００６８】
その後、履歴付与部１４４は、画像処理部１６０に対して、二次元表示モードの表示用画像データー生成処理（図２）を要求し（ステップＳ２０２）、処理を終了させる。なお、ステップＳ２０２において、履歴付与部１４４が二次元表示モードの表示用画像データー生成処理を要求するのは、コンテンツの再生終了後はＯＳ１５０の待ち受け画面に戻ることが想定されるためである。
【００６９】
以上のように、第１実施例によれば、識別部１４２は、再生開始処理において、コンテンツが三次元コンテンツであるか二次元コンテンツであるかを識別し、画像処理部１６０に対して、コンテンツが三次元コンテンツである場合は三次元用画像データーを、コンテンツが二次元コンテンツである場合は二次元用画像データーを、それぞれ生成させる。このため、ヘッドマウントディスプレイＨＭ（画像表示装置）において、三次元映像方式の如何に関わらずコンテンツの種類を識別し、識別結果に応じた表示用画像データーを生成することが可能となる。
【００７０】
具体的には、識別部１４２は、履歴記憶部１２２に三次元用画像データーの生成がなされたとして記憶されている識別情報（換言すれば、表示モードフィールドの値が「三次元表示モード」として記憶されている識別情報）と同じ識別情報を持つコンテンツを三次元コンテンツと、履歴記憶部１２２に三次元用画像データーの生成がなされたとして記憶されている識別情報と異なる識別情報を持つコンテンツを二次元コンテンツと識別する。履歴記憶部１２２は、画像処理部１６０において過去に三次元表示モードで三次元用画像データーの生成がなされたコンテンツを識別する識別情報を記憶しているため、このようにすれば、識別部１４２は、三次元映像方式の如何に関わらず、コンテンツの種類（二次元コンテンツ／三次元コンテンツ）を識別することができる。また、識別部１４２は、過去の履歴を用いてコンテンツの種類を識別するため、ＣＰＵ１４０の処理負荷を少なくすることができる。
【００７１】
さらに、履歴付与部１４４は、画像処理部１６０において三次元表示モードで三次元用画像データーの生成がなされたコンテンツを識別する識別情報を、履歴記憶部１２２へ記憶させる。このため、画像処理部１６０における過去の表示用画像データー生成処理の履歴を記憶しておくことができる。
【００７２】
さらに、画像処理部１６０は、コンテンツが三次元コンテンツである場合は一方の画像光生成部（例えば、右バックライト制御部２０１、右ＬＣＤ制御部２１１、右バックライト２２１、右ＬＣＤ２４１）と、他方の画像光生成部（例えば、左バックライト制御部２０２、左ＬＣＤ制御部２１２、左バックライト２２２、左ＬＣＤ２４２）とでそれぞれ用いられる異なる表示用画像データーの組である三次元用画像データーを生成する。一方、画像処理部１６０は、コンテンツが二次元コンテンツである場合は一方の画像光生成部と、他方の画像光生成部とでそれぞれ用いられる同じ表示用画像データーの組である二次元用画像データーを生成する。このため、ヘッドマウントディスプレイＨＭにおいて、識別部１４２による識別結果に応じた表示用画像データーを生成することが可能となる。
【００７３】
Ｂ．第２実施例：
本発明の第２実施例では、再生開始処理でのコンテンツの種類の識別方法が異なる構成について説明する。以下では、第１実施例と異なる構成および動作を有する部分についてのみ説明する。なお、図中において第１実施例と同様の構成部分については先に説明した第１実施例と同様の符号を付し、その詳細な説明を省略する。
【００７４】
（Ｂ−１）画像表示装置の構成：
第２実施例におけるヘッドマウントディスプレイＨＭの構成は、図１〜図５で説明した第１実施例とほぼ同様である。ただし、第２実施例における制御部１０は、記憶部１２０に履歴記憶部１２２を含まない点と、ＣＰＵ１４０に履歴付与部１４４を含まない点と、ＣＰＵ１４０の識別部１４２の処理内容とが、第１実施例とは異なる。
【００７５】
（Ｂ―２）再生開始処理：
図９は、第２実施例における再生開始処理の手順を示すフローチャートである。図７に示した第１実施例との違いは、ステップＳ１００〜Ｓ１０４に代えて、ステップＳ３００〜Ｓ３０６を備える点のみであり、他のステップについては第１実施例と同様である。
【００７６】
識別部１４２は、ＯＳ１５０からコンテンツ再生要求を受けたコンテンツ（識別対象コンテンツ）について、図２で説明した手順で記憶部１２０内のＤＲＡＭに格納された画像データーを取得する（ステップＳ３００）。識別部１４２は、取得した画像データーを左右に分割する（ステップＳ３０２）。そして、識別部１４２は、分割された左右の画像データーを比較し、１つの画像データーに同一の２つの画像データーが含まれているか否かを判定する（ステップＳ３０４）。なお、本実施例における「同一の２つの画像データー」とは、ノイズ等に起因する微少な差異や、視差を利用した三次元表示のために意図的に設けられた差異は許容する（同一とみなす）意味である。
【００７７】
図１０は、ステップＳ３０４の判定方法について説明するための概略図である。識別部１４２は、ステップＳ３０２において分割された画像データーの右側部分（右眼用画像データーＤａｔａ１）と、ステップＳ３０２において分割された画像データーの左側部分（左眼用画像データーＤａｔａ２）とについて、以下の手順ａ〜ｃを実行する。
手順ａ）右眼用画像データーＤａｔａ１に対して、１つの走査線（１Ｈ）内の全画素の輝度を記憶する。
手順ｂ）左眼用画像データーＤａｔａ２に対して、１つの走査線（１Ｈ）内の全画素の輝度を記憶する。
手順ｃ）手順ａと手順ｂとで記憶した輝度の並びを比較し、同じもしくは極めて類似したパターンが含まれるかを判定する。
識別部１４２は、手順ｃにおいて、同じもしくは極めて類似したパターンが含まれると判定された場合に、１つの画像データーに同一の２つの画像データーが含まれると判定することができる。なお、右眼用画像データーＤａｔａ１を「第１の画像データー」、左眼用画像データーＤａｔａ２を「第２の画像データー」とも呼ぶ。
【００７８】
なお、識別部１４２は、上記比較を１フィールド期間繰り返した結果、１フィールド期間内において所定回数以上、手順ｃで「同じもしくは極めて類似したパターンが含まれる」との判定が得られた場合に、１つの画像データーに同一の２つの画像データーが含まれていると判定してもよい。このようにすれば、複数回手順ｃの判定を行うこととなるため、判定の信頼性を向上させることができる。
【００７９】
サイドバイサイド方式の画像データーでは、右眼用画像データーＤａｔａ１と、左眼用画像データーＤａｔａ２との内容は厳密には同一ではなく、水平方向（走査線方向）にずれた内容となるため、単純に同じ位置にある画素同士の輝度を比較しても結果は得られない。しかし、上記のような比較方法を用いれば、サイドバイサイド方式の画像データーについて、１つの画像データーに同一の２つの画像データーが含まれているか否かの判断を正しく行うことができる。
【００８０】
なお、上記方法はあくまで一例であり、種々の変形が可能である。例えば、識別部１４２は、手順ａおよび手順ｂにおいて、１つの走査線内の代表画素の輝度を記憶することとしても良い。代表画素は任意に定めることができ、例えば、奇数番目に位置する画素とすることができる。また、例えば、識別部１４２は、上記手順ａ〜ｃに代えて、右眼用画像データーＤａｔａ１と、左眼用画像データーＤａｔａ２との水平方向のずれを考慮したうえで、対応する位置（同じ位置であると推定される位置）にある画素同士の輝度を比較してもよい。さらに、例えば、トップアンドボトム方式の画像データーの場合、識別部１４２は、ステップＳ３０２で取得した画像データーを奇数番号の走査線のデーターと、偶数番号の走査線のデーターとに分割した上で、手順ａおよび手順ｂと同趣旨の処理を行えばよい。
【００８１】
図９のステップＳ３０６において、識別部１４２は、ステップＳ３０４の判定結果を用いて、識別対象コンテンツが三次元コンテンツか否かを識別する。具体的には、識別部１４２は、ステップＳ３０４において１つの画像データーに同一の２つの画像データーが含まれていると判定された場合、識別対象コンテンツは三次元コンテンツであると識別する（ステップＳ３０６：ＹＥＳ）。一方、識別部１４２は、ステップＳ３０４において１つの画像データーに同一の２つの画像データーが含まれていないと判定された場合、識別対象コンテンツは二次元コンテンツであると識別する（ステップＳ３０６：ＮＯ）。なお、識別部１４２が識別対象コンテンツの種類を識別した後の処理については、図７に示した第１実施例と同様であるため、説明を省略する。
【００８２】
なお、本実施例において、図９のステップＳ３００〜Ｓ３０４に示したコンテンツに含まれる画像データーを解析する処理のことを「解析処理」と呼ぶ。
【００８３】
（Ｂ―３）再生終了処理：
第２実施例における再生終了処理の手順は、ステップＳ２００を備えない点を除いて、図８に示した第１実施例と同様である。
【００８４】
以上のように、第２実施例によれば、識別部１４２は、コンテンツに含まれる画像データーを分割することで得られた第１の画像データー（右眼用画像データーＤａｔａ１）と第２の画像データー（右眼用画像データーＤａｔａ１）の輝度の並びを比較し、同じもしくは極めて類似したパターンが含まれるコンテンツの場合は当該コンテンツを三次元コンテンツと、その他の場合は当該コンテンツを二次元コンテンツと識別する。このため、識別部１４２は、サイドバイサイド方式の三次元コンテンツと、トップアンドボトム方式の三次元コンテンツとについて、コンテンツの種類を識別することができる。
【００８５】
Ｃ．第３実施例：
本発明の第３実施例では、再生開始処理でのコンテンツの種類の識別方法が異なる構成について説明する。以下では、第１実施例と異なる構成および動作を有する部分についてのみ説明する。なお、図中において第１実施例と同様の構成部分については先に説明した第１実施例と同様の符号を付し、その詳細な説明を省略する。
【００８６】
（Ｃ−１）画像表示装置の構成：
第３実施例におけるヘッドマウントディスプレイＨＭの構成は、図１〜図５で説明した第１実施例とほぼ同様である。ただし、第３実施例における制御部１０は、記憶部１２０に履歴記憶部１２２を含まない点と、ＣＰＵ１４０の識別部１４２および履歴付与部１４４の処理内容とが、第１実施例とは異なる。
【００８７】
（Ｃ―２）再生開始処理：
図１１は、第３実施例における再生開始処理の手順を示すフローチャートである。図７に示した第１実施例との違いは、ステップＳ１００〜Ｓ１０４に代えて、ステップＳ４００〜Ｓ４０４を備える点のみであり、他のステップについては第１実施例と同様である。
【００８８】
識別部１４２は、ＯＳ１５０からコンテンツ再生要求を受けたコンテンツ（識別対象コンテンツ）の識別情報を照合する（ステップＳ４００）。具体的には、識別部１４２は、識別対象コンテンツの識別情報を取得し、取得した識別情報そのものに三次元コンテンツである旨を示す情報が付与されているか否かを判定する。三次元コンテンツである旨を示す情報とは、予め任意に定めておくことができ、例えば「３Ｄ」という文字列や、任意の記号等を採用することができる。次に、識別部１４２は、識別対象コンテンツのヘッダー情報を照合する（ステップＳ４０２）。具体的には、識別部１４２は、識別対象コンテンツのヘッダーを参照し、参照したヘッダー内の情報に三次元コンテンツである旨を示す情報が付与されているか否かを判定する。
【００８９】
識別部１４２は、ステップＳ４００およびＳ４０２の照合結果を用いて、識別対象コンテンツが三次元コンテンツか否かを識別する（ステップＳ４０４）。具体的には、識別部１４２は、ステップＳ４００とＳ４０２との少なくともいずれか一方において、三次元コンテンツである旨を示す情報が付与されていると判定された場合に、識別対象コンテンツは三次元コンテンツであると識別する（ステップＳ４０４：ＹＥＳ）。一方、識別部１４２は、ステップＳ４００とＳ４０２との両方において、三次元コンテンツである旨を示す情報が付与されていないと判定された場合に、識別対象コンテンツは二次元コンテンツであると識別する（ステップＳ４０４：ＮＯ）。なお、識別部１４２が識別対象コンテンツの種類を識別した後の処理については、図７に示した第１実施例と同様であるため、説明を省略する。
【００９０】
（Ｃ―３）再生終了処理：
図１２は、第３実施例における再生終了処理の手順を示すフローチャートである。第３実施例における再生終了処理は、履歴付与部１４４により実行される処理であり、画像処理部１６０において、三次元表示モードで三次元用画像データーの生成がなされたコンテンツに対して、当該コンテンツのヘッダーもしくは識別情報を更新し、三次元コンテンツである旨を付与する処理である。図８に示した第１実施例との違いは、ステップＳ２００に代えてステップＳ５００を備える点のみであり、他のステップについては第１実施例と同様である。
【００９１】
履歴付与部１４４は、ＯＳ１５０からコンテンツ再生終了要求を受けたコンテンツ、もしくは、ファイルの終端を検出したコンテンツを更新する（ステップＳ５００）。具体的には、履歴付与部１４４は、当該コンテンツが画像処理部１６０において三次元表示モードで三次元用画像データーの生成がなされたコンテンツである場合、コンテンツのヘッダーもしくは識別情報に三次元コンテンツである旨を示す情報を付加する。なお、ここで付加する情報は、図１１のステップＳ４００で説明した情報と同じである。なお、コンテンツのヘッダーもしくは識別情報は、少なくともいずれか一方を更新すれば足りるが、両方更新してもよい。一方、履歴付与部１４４は、当該コンテンツが画像処理部１６０において二次元表示モードで二次元用画像データーの生成がなされたコンテンツである場合、コンテンツの更新は行わない。
【００９２】
以上のように、第３実施例によれば、識別部１４２は、コンテンツのヘッダーもしくは識別情報そのものを参照し、三次元コンテンツである旨を示す情報が含まれている場合は当該コンテンツを三次元コンテンツと、その他の場合は当該コンテンツを二次元コンテンツと識別する。コンテンツのヘッダーもしくは識別情報には、画像処理部１６０において過去に三次元用画像データーの生成がなされたコンテンツについて、三次元コンテンツである旨を示す情報が付与されている。従って、このようにすれば識別部１４２は、三次元映像方式の如何に関わらず、コンテンツの種類を識別することができる。また、識別部１４２は、コンテンツのヘッダーもしくは識別情報に付与された情報を用いてコンテンツの種類を識別するため、ＣＰＵ１４０の処理負荷を少なくすることができる。
【００９３】
Ｄ．変形例：
なお、この発明は上記の実施例や実施形態に限られるものではなく、その要旨を逸脱しない範囲で種々の構成をとることができる。例えば、ソフトウェアによって実現した機能は、ハードウェアによって実現するものとしてもよい。そのほか、以下のような変形が可能である。
【００９４】
Ｄ１．変形例１：
上記実施例では、画像表示装置としてヘッドマウントディスプレイを用いた構成について説明した。しかし、画像表示装置としては、ヘッドマウントディスプレイに限らず種々の装置を採用可能である。例えば、平面型ディスプレイ装置（液晶ディスプレイ装置、プラズマディスプレイ装置、有機ＥＬディスプレイ装置等）、プロジェクター、カーナビゲーションシステム等を採用することができる。この場合、制御部と画像表示部との間の接続は、有線の信号伝送路を介した接続であってもよいし、無線の信号伝送路を介した接続であってもよい。このようにすれば、制御部を、通常の平面型ディスプレイ装置のリモコンとして利用することができる。
【００９５】
Ｄ２．変形例２：
上記実施例では、ヘッドマウントディスプレイの構成について例示した。しかし、ヘッドマウントディスプレイの構成は、本発明の要旨を逸脱しない範囲において任意に定めることが可能であり、例えば、各構成部の追加・削除・変換等を行うことができる。
【００９６】
上記実施例では、説明の便宜上、制御部が送信部を備え、画像表示部が受信部を備えるものとした。しかし、上記実施例の送信部および受信部は、いずれも、双方向通信が可能な機能を備えており、送受信部として機能することができる。例えば、接続部を省略し、制御部と、画像表示部とが無線通信可能な構成としてもよい。具体的には、制御部にさらに、第１の無線通信部を備えると共に、画像表示部にさらに、第２の無線通信部と、電源とを備える構成とする。この場合、第１の無線通信部が上記実施例における送信部として機能し、第２の無線通信部が上記実施例における受信部として機能する。
【００９７】
上記実施例では、制御部が２つの送信部を備えると共に画像表示部が２つの受信部を備え、一方の送信部は右表示駆動部の受信部に対して右眼用画像データーを送信し、他方の送信部は左表示駆動部の受信部に対して左眼用画像データーを送信する構成とした。しかし、上記実施例での構成はあくまで一例であり、種々の変更が可能である。例えば、制御部が備える送信部と画像表示部が備える受信部とをそれぞれ１つずつとすることもできる。この場合、表示用画像データー生成処理では、画像処理部は、クロック信号ＰＣＬＫ、垂直同期信号ＶＳｙｎｃ、水平同期信号ＨＳｙｎｃと、記憶部１２０内のＤＲＡＭに格納された画像データーと、を送信部経由で送信する。そして、これらのデーターを受信部経由で受信した画像表示部が、受信した画像データーから右眼用画像データーと左眼用画像データーとを生成する（換言すれば、画像表示部が、図３で画像処理部が実行すると述べた処理を代替して行う）ことができる。
【００９８】
例えば、図１に示した制御部、画像表示部の構成は任意に変更することができる。具体的には、例えば、制御部からタッチパッドを省略し、十字キーのみで操作する構成としてもよい。また、制御部に操作用スティック等の他の操作用インターフェイスを備えても良い。また、制御部にはキーボードやマウス等のデバイスを接続可能な構成として、キーボードやマウスから入力を受け付けるものとしてもよい。また、制御部にＷｉ−Ｆｉ（wireless fidelity）等を用いた通信部を設けてもよい。
【００９９】
例えば、図１に示した制御部は、有線の信号伝送路を介して画像表示部と接続されているものとした。しかし、制御部と、画像表示部とは、無線ＬＡＮや赤外線通信やＢｌｕｅｔｏｏｔｈ（登録商標）等の無線の信号伝送路を介した接続により接続されていてもよい。
【０１００】
例えば、ヘッドマウントディスプレイは、両眼タイプの透過型ヘッドマウントディスプレイであるものとしたが、使用者がヘッドマウントディスプレイを装着した状態において外景が遮断される非透過型ヘッドマウントディスプレイとして構成してもよい。また、単眼タイプのヘッドマウントディスプレイとしてもよい。
【０１０１】
例えば、画像処理部、表示制御部、識別部、履歴付与部、音声処理部等の機能部は、ＣＰＵがＲＯＭやハードディスクに格納されているコンピュータープログラムをＲＡＭに展開して実行することにより実現されるものとして記載した。しかし、これら機能部は、当該機能を実現するために設計されたＡＳＩＣ（Application Specific Integrated Circuit：特定用途向け集積回路）を用いて構成されてもよい。
【０１０２】
また、画像表示部として、眼鏡のように装着する画像表示部に代えて、例えば帽子のように装着する画像表示部といった他の形状の画像表示部を採用してもよい。また、イヤホンは耳掛け型やヘッドバンド型を採用してもよく、省略しても良い。
【０１０３】
例えば、上記実施例では、電源として二次電池を用いることしたが、電源としては二次電池に限らず、種々の電池を使用することができる。例えば、一次電池や、燃料電池、太陽電池、熱電池等を使用してもよい。
【０１０４】
Ｄ３．変形例３：
上記実施例では、履歴記憶部の一例を示した。しかし、上記実施例における履歴記憶部はあくまで一例であり、種々の変更が可能である。
【０１０５】
例えば、再生日時には、識別情報で特定されるコンテンツについての最初の再生時間が格納されることとしてもよい。再生時間についても同様である。
【０１０６】
例えば、表示モード、再生日時、再生時間、合計再生回数の各フィールドは省略可能である。例えば、表示モードのフィールドを省略した場合、履歴記憶部には、画像処理部１６０において、過去に三次元用画像データーの生成がなされた（三次元表示モードの表示用画像データー生成処理がなされた）コンテンツを識別する識別情報のみを格納しておくことができる。この場合、再生開始処理（図７）のステップＳ１０４では、履歴記憶部に一致するエントリーがない場合に「ＮＯ」判定を行えばよい。
【０１０７】
上記実施例の履歴記憶部は、「コンテンツ単位で」三次元用画像データーの生成がなされたか否かを識別する識別情報を記憶することとした。しかし、上記実施例での態様はあくまで一例であり、種々の変更が可能である。例えば、「フレーム単位で」三次元用画像データーの生成がなされたか否かを識別する識別情報を記憶することとしてもよい。その場合、履歴記憶部には、コンテンツを識別する識別子に加えてさらに、フレームを識別する情報（例えば、コンテンツ中の対象フレームの開始時刻および終了時刻など）を含むことができる。さらに、再生開始処理（図７）において、コンテンツの識別情報に加えてさらに対象フレームの時間を考慮すればよい。このようにすれば、コンテンツ中のあるシーンのみを三次元表示モードとする、等といったきめ細かい制御を実現することができる。
【０１０８】
Ｄ４．変形例４：
上記実施例では、再生開始処理の一例を示した。しかし、図７、図９、図１１に示した処理の手順はあくまで一例であり、種々の変形が可能である。例えば、一部のステップを省略してもよいし、更なる他のステップを追加してもよい。また、実行されるステップの順序を変更してもよい。
【０１０９】
例えば、コンテンツの種類の識別結果の正誤を確認するための確認メッセージの表示（ステップＳ１０８、Ｓ１１０）は省略可能である。このようにすれば、迅速な表示モードの切り替えが可能となる。
【０１１０】
例えば、第３実施例の再生開始処理（図１１）において、ステップＳ４００とＳ４０２との実行順序を逆にしてもよい。また、ステップＳ４００と、Ｓ４０２とのいずれか一方を省略してもよい。
【０１１１】
Ｄ５．変形例５：
上記実施例では、再生終了処理の一例を示した。しかし、図８、図１２に示した処理の手順はあくまで一例であり、種々の変形が可能である。例えば、一部のステップを省略してもよいし、更なる他のステップを追加してもよい。また、実行されるステップの順序を変更してもよい。
【０１１２】
例えば、画像処理部に二次元表示モードの表示用画像データー生成処理を要求する処理（ステップＳ２０２）は省略可能である。このようにすれば、選択された表示モードを継続して使用することができる。
【０１１３】
例えば、第１実施例の再生終了処理（図８）において、ステップＳ２００とＳ２０２との実行順序を逆にしてもよい。同様に、第３実施例の再生終了処理（図１２）において、ステップＳ５００とＳ２０２との実行順序を逆にしてもよい。
【０１１４】
Ｄ６．変形例６：
上記実施例では、画像光生成部は、バックライトと、バックライト制御部と、ＬＣＤと、ＬＣＤ制御部とを用いて構成されるものとした。しかし、上記の態様はあくまで例示である。画像光生成部は、これらの構成部と共に、またはこれらの構成部に代えて、他の方式を実現するための構成部を備えていても良い。
【０１１５】
例えば、画像光生成部は、有機ＥＬ（有機エレクトロルミネッセンス、Organic Electro-Luminescence）のディスプレイと、有機ＥＬ制御部とを備える構成としても良い。また、例えば、レーザー網膜投影型の画像表示装置に対して本発明を適用することも可能である。
【０１１６】
Ｄ７．変形例７：
上記実施例および各変形例における構成要素のうち、特許請求の範囲において独立請求項で記載された構成に対応する要素以外の要素は、付加的な要素であり、省略可能である。
【０１１７】
上記第２実施例の各構成要素は、対応する第１実施例の構成要素を置換するものとして記載したが、対応する第１実施例の構成要素に対して第２実施例で説明した内容を付加するものとしても良い。例えば、第２実施例の再生開始処理において識別部は、コンテンツの種類を識別するために、図７で説明したステップＳ１００〜Ｓ１０２と、図９で説明したステップＳ３００〜Ｓ３０４との両方を実行してもよい。このようにすれば、識別部は、コンテンツの種類の識別精度をより向上させることができる。上記第３実施例についても同様である。
【符号の説明】
【０１１８】
１０…制御部（コントローラー）
１２…点灯部
１４…タッチパッド
１６…十字キー
１８…電源スイッチ
２０…画像表示部
２１…耳掛部
２２…右表示駆動部
２４…左表示駆動部
２６…右光学像表示部
２８…左光学像表示部
３２…右イヤホン
３４…左イヤホン
４０…接続部
４２…右コード
４４…左コード
４６…連結部材
４８…本体コード
５１…送信部
５２…送信部
５３…受信部
５４…受信部
１１０…入力情報取得部
１２０…記憶部
１２２…履歴記憶部
１３０…電源
１４０…ＣＰＵ
１４２…識別部
１４４…履歴付与部
１４５…状態確認部
１６０…画像処理部
１７０…音声処理部
１８０…インターフェイス
１９０…表示制御部
２０１…右バックライト制御部（画像光生成部）
２０２…左バックライト制御部（画像光生成部）
２１１…右ＬＣＤ制御部（画像光生成部）
２１２…左ＬＣＤ制御部（画像光生成部）
２２１…右バックライト（画像光生成部）
２２２…左バックライト（画像光生成部）
２４１…右ＬＣＤ（画像光生成部）
２４２…左ＬＣＤ（画像光生成部）
２５１…右投写光学系（導光部）
２５２…左投写光学系（導光部）
２６１…右導光板（導光部）
２６２…左導光板（導光部）
２８０…電源
ＰＣＬＫ…クロック信号
ＶＳｙｎｃ…垂直同期信号
ＨＳｙｎｃ…水平同期信号
Ｄａｔａ…画像データー
Ｄａｔａ１…右眼用画像データー（第１の画像データー）
Ｄａｔａ２…左眼用画像データー（第２の画像データー）
ＯＡ…外部機器
ＰＣ…パーソナルコンピューター
ＳＣ…外景
ＶＩ…虚像
ＩＬ…照明光
ＰＬ…画像光
ＨＭ…ヘッドマウントディスプレイ（画像表示装置）
ＶＲ…視野
【図１】
0005887983.tif 000002
【図２】
0005887983.tif 000003
【図３】
0005887983.tif 000004
【図４】
0005887983.tif 000005
【図５】
0005887983.tif 000006
【図６】
0005887983.tif 000007
【図７】
0005887983.tif 000008
【図８】
0005887983.tif 000009
【図９】
0005887983.tif 000010
【図１０】
0005887983.tif 000011
【図１１】
0005887983.tif 000012
【図１２】
0005887983.tif 000013